(57)【要約】      （修正有）【課題】異なる材質で作られる部材の分別が容易で、かつ商品を保持する梱包材を不要とした包装箱が提供できる。【解決手段】商品２およびこの商品に付属する付属品３を収納する包装箱において、開口部１０を有する箱本体１と、商品を保持する商品保持部材４とを備え、この商品保持部材は、内側に前記商品を保持し、前記箱本体の開口部に嵌合するような形状の凸部５１を形成したプラスチック製のカバー５と、このカバーを着脱可能に取付ける台紙６とからなり、前記凸部が前記開口部から突出するように前記商品保持部材を前記付属品とともに前記箱本体に収納する。【選択図】図２
2012171688.tif 000002
【特許請求の範囲】
【請求項１】
商品およびこの商品に付属する付属品を収納する包装箱において、開口部を有する箱本体と、商品を保持する商品保持部材とを備え、この商品保持部材は、内側に前記商品を保持し、前記箱本体の開口部に嵌合するような形状の凸部を形成したプラスチック製のカバーと、このカバーを着脱可能に取付ける台紙とからなり、前記凸部が前記開口部から突出するように前記商品保持部材を前記付属品とともに前記箱本体に収納することを特徴とする商品包装箱。
【請求項２】
前記台紙は前記箱本体の内形に合わせた形状とし、この台紙の周縁に前記カバーの外周に成形した屈曲部を係止することにより、前記台紙に前記カバーを着脱可能に取付けたことを特徴とする請求項１記載の商品包装箱。
【請求項３】
前記凸部内側の収納室に保持された前記商品が見える位置に覗き孔を設けた前記台紙と、プラスチック製の前記カバーとよりなる商品保持部材を備えたことを特徴とする請求項１記載の商品包装箱。
【発明の詳細な説明】
【技術分野】
【０００１】  本発明は、商品と付属品を一緒に収納する商品梱包箱に関する。
【背景技術】
【０００２】  商品を箱に収納して販売する際は、販売促進のため、箱の一部を開口して商品が見えるようにした商品包装箱が用いられる。この箱の一部に開口部を設けた包装箱では、商品を保護するため、従来は開口部を塞ぐように透明なフィルムが箱に貼り付けられている（例えば、特許文献１）。【０００３】  そして、商品に対して取り扱い説明書等の付属品が添付される場合、箱に商品と付属品とを収納するようになっており、商品および付属品が入れられる箱は、付属品の大きさでサイズが決められる。このため、商品は、箱に対して幅や高さが小さいので、隙間を埋めて商品の位置を規制するために梱包材が用いられる。【０００４】  このような構成の従来の包装箱は、付属品と梱包材に保持された商品とが重ねて入れられる。梱包材に保持された商品は、開口部と対向する位置にあり、フィルムを通して商品を見ることができるようになっている。
【先行技術文献】
【特許文献】
【０００５】
【特許文献１】特開２０００−２０３５６３号公報
【発明の概要】
【発明が解決しようとする課題】
【０００６】  しかしながら、従来の包装箱では、一般的に紙製の外箱に、プラスチック製のフィルムを貼り付けているため、リサイクルのためには箱からフィルムをはがす作業が必要となり、リサイクルがしづらいという問題があった。【０００７】  また、商品より付属品のサイズが大きい場合は、商品の位置を規制するための梱包材が必要となり、包装箱を構成する部材が増えるので、コストを低減できないという問題があった。【０００８】  本発明は、このような課題を解決するためになされたもので、異なる材質で作られる部材の分別が容易で、かつ商品を保持する梱包材を不要とした包装箱を提供することを目的とする。
【課題を解決するための手段】
【０００９】  上述した課題を解決し、かつ目的を達成するために、この発明は以下のように構成した。【００１０】  請求項１に記載の発明は、商品およびこの商品に付属する付属品を収納する包装箱において、開口部を有する箱本体と、商品を保持する商品保持部材とを備え、この商品保持部材は、内側に商品を保持し、箱本体の開口部に嵌合するような形状の凸部を有するプラスチック製のカバーと、このカバーを着脱可能に取付ける台紙とからなり、前記カバーの前記凸部が前記開口部から突出するように前記商品保持部材を前記付属品とともに前記箱本体に収納することを特徴とする商品包装箱である。【００１１】  請求項２に記載の発明では、前記台紙は前記箱本体の内形に合わせた形状とし、この台紙の周縁に前記カバーの外周に形成した屈曲部を係止することにより、前記台紙に前記カバーを着脱可能に取付けたことを特徴とする請求項１記載の商品包装箱である。【００１２】  請求項３に記載の発明では、前記凸部内側の収納室に保持された商品が見える位置に覗き孔を設けた前記台紙と、プラスチック製の前記カバーとよりなる商品保持部材を備えたことを特徴とする請求項１記載の商品包装箱である。
【発明の効果】
【００１３】  請求項１に記載の発明では、箱本体の開口部に商品保持部材のプラスチック製のカバーに形成した凸部が嵌合して突出するので、箱本体の開口部に透明なフィルム等を貼り付ける必要がなく、包装箱としての使用後の分別が容易で、リサイクルが容易に行える。また、商品は商品保持部材のプラスチック製のカバーの凸部内側に形成された収納室で保持されるので、例えば、商品の大きさが付属品に対して小形で、箱本体の大きさが付属品に合わせてある場合でも、商品を保持するための梱包材を用いる必要がなく、部材点数を減らすことで、コストの低減を図ることができる。【００１４】  請求項２に記載の発明によれば、商品保持部材の台紙は箱本体の内形に合わせた形状にし、台紙の周縁にプラスチック製のカバーの外周に成形した屈曲部を係止させて、カバーに形成した凸部を箱本体の開口部に嵌合させたので、箱本体内における商品保持部材の移動は規制される。また、商品は商品保持部材のカバーに形成された凸部内側の収納室内に保持されており、カバーを透明とした場合は、箱本体に収納された商品を開口部から見ることができる。【００１５】  このように、箱本体の開口部に商品保持部材のカバーに形成した凸部が嵌合し、開口部から突出するので、箱本体の開口部に透明なフィルム等を貼り付ける必要がない。そして、商品保持部材のプラスチック製のカバーは台紙に着脱可能であり、しかも、例えば紙で作られる箱本体とも別体で構成されるので、包装箱としての使用後の分別が容易で、リサイクルが容易に行える。【００１６】  また、請求項３に記載の発明によれば、商品保持部材の台紙に、プラスチック製のカバーに形成した凸部内側の収納室に保持された商品が見える位置に覗き孔を設けたので、カバーが透明なプラスチック製でなくとも商品をみることができ、しかも商品がピンホールアイマスクのような場合は、覗き孔からピンホールを通して外方を見ることにより、ピンホールの品質バラツキを管理することができる。
【図面の簡単な説明】
【００１７】
【図１】本発明に係る実施の形態１の包装箱を示す分解斜視図である。
【図２】包装箱の使用状態を示す断面図である。
【図３】要部の拡大断面図である。
【発明を実施するための形態】
以下、この発明の包装箱の実施の形態１について説明する。この発明の実施の形態は、発明の最も好ましい形態を示すものであり、この発明はこれに限定されない。
［実施の形態１］
図１は実施の形態１の包装箱の構成例を示す分解斜視図である。この実施の形態１の包装箱の箱本体１には、付属品３と商品２を保持する商品保持部材４とが入れられる。この商品保持部材４は透明なプラスチック製のカバー５で商品を保持する。
【００１８】  まず、箱本体１に入れられる商品２と付属品３について説明すると、商品２は例えはピンホールアイマスクで、また、付属品３は例えば使用方法を記録したＤＶＤを内蔵するケースである。そして、付属品３に対して商品２の厚さは薄形状である。
【００１９】  次に、包装箱を構成する箱本体１および商品を保持する商品保持部材４について説明する。前記箱本体１は紙製で、中空構造の直方体であり、この箱本体１は開口部１０が設けられた前面１１と、この前面１１に対向する背面１２を有する。前記前面１１の上方には販売店の商品陳列棚における吊り下げロッド９０に掛けられる孔１１２を有する吊り下げ部１１１を設ける。この吊り下げ部１１１を挟持する上面１３を背面１２に一体に形成するとともに、前記付属品３と前記商品保持部材４を出し入れする下面１４を前面１１に一体に形成する。
【００２０】  前記箱本体１の内寸は、幅は付属品３とほぼ同等、高さは前記付属品３の高さとほぼ同等であり、前記箱本体１に前記付属品３を入れたときに、前記付属品３が幅方向と高さ方向にガタつかない程度に隙間無く収まるような寸法となっている。
【００２１】  また、前記箱本体１の奥行き方向の内寸は、前記付属品３の奥行きに、前記商品保持部材４の奥行き方向の外寸を加えた長さとほぼ同等であり、前記箱本体１に前記付属品３と前記商品保持部材４を奥行き方向に重ねて入れたときに、前記付属品３と前記商品保持部材４が奥行き方向にガタつかない程度に隙間無く収まるような寸法となっている。
【００２２】  前記商品保持部材４は、内側に商品を保持し、前記箱本体１の前記開口部１０に嵌合する形状の凸部５１を形成した透明なプラスチック製のカバー５と、前記箱本体１の内形に合わせた形状にした台紙６から構成される。この台紙６の周縁に前記カバー５の外周縁に形成した屈曲部５２が係止されることにより、前記台紙６に前記カバー５が着脱自在に取り付けられる。
【００２３】  前記カバー５の前記凸部５１内側は商品２を保持する収納室５１１となる。この収納室５１１の内寸は、幅は商品２の幅とほぼ同等、高さは商品２の高さとほぼ同等、さらに、奥行きは商品２の奥行きとほぼ同等であり、前記収納室５１１に商品２を収納したときに、商品がガタつかないように保持される寸法となっている。なお、図１では前記カバー５に形成した前記凸部５１を直方体の形状にたが、本実施の形態１の商品２であるピンホールアイマスクの外形に沿う形状が望ましい。
【００２４】  前記凸部５１の外寸は、前記カバー５の厚み分だけ内寸よりも大きい。そして、前記箱本体１の前記開口部１０の幅は、前記凸部５１の幅方向の外寸より若干長く、前記凸部５１が前記開口部１０に嵌合し、外方に突出するような寸法となっている。
【００２５】  前記台紙６は中間を折畳んで表板６１と裏板６２から構成され、表板６１に前記カバー５の前記収納室５１１に対向する位置に開口した大径孔７１と、裏板６２に前記大径孔７１に一致するように開口した小径孔７２とよりなる覗き孔７が形成される。この覗き孔７から前記商品２であるピンホールアイマスクのピンホール２１を確認でき、前記カバー５が透明な場合はピンホール２１を通して遠方を見ることになる。なお、大径孔７１と小径孔７２のいずれかに透明のプラスチックシート７３が添着される。
【００２６】  前記カバー５の上方にも前記箱本体１に設けた吊り下げ部１１１の孔１１２と同じ商品陳列棚の前記吊り下げロッド９０に掛けられる吊り下げ孔８０が設けられる。この吊り下げ孔８０と一致させて前記台紙６の上方にも吊り下げ孔８１が設けられる。
【００２７】  図２は包装箱１の使用状態を示す断面図で、次に、実施の形態１の包装箱１の使用方法について説明する。
【００２８】  まず、前記商品２をプラスチック製の前記カバー５に形成した前記凸部５１内側の収納室５１１に入れる。このとき、商品２は顧客に見せたい部分が正面を向くようにして前記収納室５１１に収納される。
次に、前記カバー５の屈曲部５２を台紙６の周縁に係止して、前記台紙６にカバー５を取り付けると前記収納室５１１の開口が台紙６で塞がれることで、商品２は収納室５１１の内部に保持される。そして、前記台紙６と前記カバー５とよりなる商品保持部材４に前記付属品３を奥行き方向に重ねるようにして前記箱本体１の下面１４から入れると、前記商品保持部材４と前記付属品３とが前記箱本体１に対して幅方向と高さ方向にほぼ隙間無く収まる。
【００２９】  前記箱本体１の内部で前記カバー５の幅方向および高さ方向の位置が前記台紙６との組み合わせにより規制されると、前記カバー５に形成された前記凸部５１は前記箱本体１の前記開口部１０に対向する。そして、前記凸部５１の外寸が前記開口部１０の寸法より若干小さく設定されているので、前記開口部１０から前記凸部５１が外側へと突出することになる。
【００３０】  これにより、プラスチック製の前記カバー５および前記台紙６よりなる商品保持部材４と付属品３は前記箱本体１に対して奥行き方向にほぼ隙間無く収まる。さらに、付属品３は箱本体１に対して幅方向と高さ方向にほぼ隙間無く収まり位置が規制される。
【００３１】  以上のように、実施の形態１の包装箱のように、梱包材を用いることなく、箱本体１の内部で商品２の位置を規制することができる。そして、カバー５を透明にすることで、顧客が箱本体１の外から開口部を通して、収納室５１１に保持されている商品を見ることができるようになる。
【００３２】  また、梱包作業は、カバー５の収納部５１１に商品を入れ、このカバー５に台紙６を取り付けた商品保持部材４と付属品３とを重ねて箱本体１に入れるだけで済むので、短時間で行える。
【産業上の利用可能性】
【００３３】  この発明は、開口部を有する箱本体と、商品を保持し、かつ箱本体の開口部に嵌合する凸部およびこの凸部が開口部から突出することで、プラスチック製のカバーと台紙とよりなる商品保持部材が箱本体内で位置決めされることで、商品を保持する梱包材を不要とし、また、リサイクルのための分別が容易に行えるようにしたものである。
【符号の説明】
【００３４】１      箱本体
１０    開口部
２      商品
３      付属品
４      商品保持部材
５      プラスチック製のカバー
５１    凸部
６      台紙
７      覗き孔
９      吊り下げロッド
【図１】
2012171688.tif 000003
【図２】
2012171688.tif 000004
【図３】
2012171688.tif 000005